【事件の表示】
　平成９年特許願第３４３５２９号「光ディスク装置」拒絶査定に対する審判事件［平成１１年７月２日出願公開、特開平１１−１７６０７０］について、次のとおり審決する。
【結　論】
　本件審判の請求は、成り立たない。
【理　由】
１．手続きの経緯
　本願は、平成９年１２月１５日の出願であって、その請求項１に係る発明（以下、「本願発明」という。）は、平成１３年１１月５日及び平成１４年年１月２８日付けの手続補正書によって補正された明細書の特許請求の範囲の請求項１に記載された事項により特定される次のとおりのものと認める。
　
「【請求項１】　光ディスクの情報記録面に光ビームを照射するとともに前記情報記録面からの反射光を受光するピックアップを用いて、光ディスクの情報トラック上の情報を情報再生信号として再生する光ディスク装置において、
　前記光ビームが前記情報トラックとディスク半径方向に相対的に変位する際の前記情報再生信号の振幅変化に応じて変化する振幅表示信号に基づいて、光ディスクの種類を判別する判別手段を備え、
　前記判別手段は、前記振幅表示信号を生成する振幅表示信号生成手段と、前記振幅表示信号の最大値と最小値との比率を、所定値と比較する比率比較手段と、
を有してなることを特徴とする光ディスク装置。」
　
２．刊行物
　原査定の拒絶の理由において引用された特開平８−８３４６５号公報（以下、「刊行物」という。）には、以下の事項が記載されている。
「【特許請求の範囲】
　【請求項１】　光ディスク上に記録された信号を再生する光ディスク再生装置において、
　上記光ディスク上に記録された信号を光学的に読み取るピックアップと、
　上記ピックアップを上記光ディスクの径方向の特定位置に移動させる移動制御手段と、
　上記ピックアップにて上記光ディスク上に記録された信号を読み取る際のフォーカスサーボ制御するフォーカスサーボ制御手段と、
　上記ピックアップにて上記光ディスク上に記録された信号を読み取り得られるトラッキングエラー信号の振幅を測定する振幅測定手段と、
　上記トラッキングエラーの振幅測定手段の測定結果から上記光ディスクを判別する光ディスク判別手段と、
　上記光ディスク判別手段の判別結果に応じて、上記移動制御手段の動作を制御するシーケンサとを有することを特徴とする光ディスク再生装置。
　【請求項２】　上記トラッキングエラーの振幅測定手段は、上記トラッキングエラー信号の上記光ディスク一回転周期に現れるピーク間の電圧を測定することを特徴とする請求項１記載の光ディスク再生装置
　【請求項３】　光ディスク上に記録された信号を再生する光ディスク再生装置において、
　上記光ディスク上に記録された信号を光学的に読み取るピックアップと、
　上記ピックアップを上記光ディスクの径方向の特定位置に移動させる移動制御手段と、
　上記ピックアップにて上記光ディスク上に記録された信号を読み取る際のフォーカスサーボ制御するフォーカスサーボ制御手段と、
　上記ピックアップにて上記光ディスク上に記録された信号を読み取り得られる再生信号の振幅を測定する再生信号振幅測定手段と、
　上記再生信号振幅測定手段の測定結果から上記光ディスクを判別する光ディスク判別手段と、
　上記光ディスク判別手段の判別結果に応じて、上記移動制御手段の動作を制御するシーケンサとを有することを特徴とする光ディスク再生装置。
　【請求項４】　上記再生信号振幅測定手段は、上記再生信号の包絡線の上記光ディスク一回転周期に現れるピーク間の電圧を測定することを特徴とする請求項３記載の光ディスク再生装置。」、
「【００４１】
　図４は、本発明に係る光ディスク再生装置の第二の実施例の概略構成を示すブロック回路図である。
　【００４２】
　図４で、ピックアップ４１は、光ディスク上に記録された信号を光学的に読み取って得られる後述するフォーカスサーボ制御された再生（ＲＦ）信号を、ピーク間電圧測定回路２６に送っている。また、ピックアップ４１の上記光ディスクの径方向の特定位置への移動は、スライド移動制御回路２５にて制御される。また、フォーカスサーボ回路１８は、ピックアップ１にて上記光ディスク上に記録された信号を読み取る際のフォーカスサーボ制御している。また、ピーク間電圧測定回路２６は、上記ＲＦ信号の振幅をピーク電圧として測定して、この振幅測定結果をディスク判別回路２７に送っている。ディスク判別回路２７は、上記ＲＦ信号の振幅が後述する光学系のレスポンス関数（modulation　transfer　function：以下、ＭＴＦという。）と空間周波数との関係に基づいて、後述するトラック密度の高低に応じて上記振幅が変化する点に着目して、挿入された記録密度の異なる光ディスクを識別して、この識別結果をシーケンサ１６に送っている。シーケンサ１６は上記識別結果に基づいて、スライド移動制御回路２５の動作を制御している。
　【００４３】
　以下、各構成の動作説明を行うが、図４で示される構成で、図１と同じ番号が付されたものは、図１を用いて説明した動作と同様の動作を行うものであるため、ここでは、図１と異なる番号を付した構成及び図１で付した番号とは同じだが動作が異なる構成の説明のみを行う。　
　ここで、図４において、ピックアップ４１は図１で示したピックアップ１と同様の構成であり、本実施例の光ディスク再生装置（以下、本実施例の装置という。）が電源オン状態になると、第一の実施例でも述べたように、スライドモータ駆動回路９から送られるスライドモータ駆動信号に基づいて特定位置検知スイッチ２に接触するまで、光ディスクの径方向に移動する。さらに、ピックアップ４１内のレーザダイオードにて発生させるレーザビームを光ディスク上の記録面に照射し、反射光を記録信号として読み取って得られるＲＦ信号を増幅演算回路４４に送り、上記記録信号を読み取り得られるトラッキングエラー信号をトラッキングサーボ回路１３に送り、また、上記記録信号を読み取り得られるフォーカスエラー信号をフォーカスサーボ回路１８に送る。また、第一の実施例でも述べたように、トラッキングコイル駆動回路１２から送られるトラッキングコイル駆動信号、スライドモータ駆動回路１４から送られるスライドモータ駆動信号及びフォーカスコイル駆動回路１７から送られるフォーカスコイル駆動信号に基づいて、上記記録信号を読み取る際のトラック動作が制御される。
　【００４４】
　また、増幅演算回路４４は、ピックアップ４１から送られる上記ＲＦ信号を増幅演算処理し、演算処理後のＲＦ信号をコンパレータ５の被比較入力端子及びピーク間電圧測定回路２６に送る。
　【００４５】
　また、ピーク間電圧測定回路２６は、第一の実施例で述べたトラッキングエラー信号の場合と同様に、ピックアップ４１より送られるＲＦ信号で、特にトラッキングサーボ回路をオンにする前の、いわゆる光ディスクの偏心のみに依存する光ディスク一回転周期のＲＦ信号の包絡線のピーク間の電圧の差異を検出し、この検出結果から振幅値、すなわちＭＴＦを求めて、このＭＴＦから空間周波数、すなわち挿入された光ディスクのトラックピッチ間隔を検出し、この検出されたトラックピッチ間隔の値をディスク判別回路２７に送る。
　【００４６】
　ここで、図５は、上述した本実施例の光ディスク再生装置の動作原理の説明図として挙げる、初期動作時にピーク間電圧測定回路２６にて得られるＲＦ信号の波形を示す。
　【００４７】
　図５において、ここで示される信号波形は、第一の実施例でも説明したトラッキングエラー信号の場合と同様に、トラッキングサーボ回路１３及びスライドサーボ回路１５がオフの状態、すなわちフォーカスサーボ回路１８のみがオンになった状態で得られるＲＦ信号である。光ディスクを本実施例の装置に挿入し、後述する初期動作を行うと上記光ディスクが回転し、この光ディスクの中心とスピンドルモータ３の回転軸とのずれ、いわゆる偏心が生じるため、ピックアップ１から上記光ディスクの記録面に照射させるレーザ光が上記ディスク上の記録面のトラックを横切ることになるので、上記ＲＦ信号はスピンドルモータ３の回転に同期した波形を示している。矢印５１で示される範囲は、スピンドルモータ３の回転の一回転に相当する周期であり、矢印５２に示される範囲は、図３を用いて説明した上記光学系のレスポンス関数の絶対値（ＭＴＦ）に相当する振幅値、すなわちＲＦ信号の電圧を指している。ここで、ＲＦ信号の振幅においても、第一の実施例で説明したトラッキングエラー信号の振幅と同様に、通常密度の光ディスクの振幅の方が大きくなる。また、上記ＲＦ信号の振幅より得られるＭＴＦから対応する空間周波数、すなわち光ディスクのトラックピッチの間隔の値を得ることが可能である。このトラックピッチの間隔の値がディスク判別回路２７に送られる。
　【００４８】
　ディスク判別回路２７は、ピーク間電圧測定回路２６から送られる上記トラックピッチの間隔の値に基づいて、上記光ディスクが通常密度の光ディスクであるか、あるいは高密度光ディスクであるかを判別し、この判別結果をシーケンサ１６に送る。
　【００４９】
　以上のように構成することで、ユーザは、光ディスクを光ディスク再生装置にセットし動作を開始することで、上記光ディスクが通常密度の光ディスク、あるいは高密度光ディスクの何れであるか知ることができる。
　【００５０】
　なお、第一及び第二の実施例では、光ディスクのトラックピッチ間隔を検出するのに、トラッキングエラー信号、あるいはＲＦ信号の出力信号の上記光ディスク一回転周期に現れるピーク間の電圧の振幅値を用いたが、これに限定されることはなく、例えば、上記出力信号を検波整流後、平滑フィルタにて処理した後、得られる信号波形の振幅値を用いる等、上記光ディスクのトラックピッチ間隔を検出することができれば、他の方法を用いてもよいことは言うまでもない。」
　
　以上の刊行物の記載、特に第二の実施例及び段落【００５０】の記載から、刊行物には、
「レーザビームを光ディスク上の記録面に照射するとともに反射光を記録信号として読み取るピックアップを用いて、光ディスクの記録トラック上に記録された信号を再生信号として読み取る光ディスク装置において、
　トラッキングサーボ回路及びスライドサーボ回路がオフの状態であり、フォーカスサーボ制御された再生信号の出力信号を検波整流後、平滑フィルタにて処理した後、得られる信号波形の振幅値に基づいて、光ディスクの種類を判別するディスク判別回路を備えてなる光ディスク装置。」の発明（以下、「刊行物の発明」という。）が記載されていると認められる。
　
３．対比・判断
　本願発明と刊行物の発明とを比較すると、
　刊行物の発明の「光ディスク」「ピックアップ」「再生信号」は、本願発明の「光ディスク」「ピックアップ」「情報再生信号」に相当し、
　刊行物の発明の「トラッキングサーボ回路及びスライドサーボ回路がオフの状態であり、フォーカスサーボ制御された再生信号」は、初期動作で光ディスクが回転している状態では、レーザ光はトラックとディスク半径方向に相対的変位しているというもので、本願発明の「前記光ビームが前記情報トラックとディスク半径方向に相対的に変位する際」に相当する。
　また、刊行物の発明の「再生信号の出力信号を検波整流後、平滑フィルタにて処理した後、得られる信号波形の振幅値」は、本願発明の「前記情報再生信号の振幅変化に応じて変化する振幅表示信号」に相当し、刊行物１の発明の「光ディスクの種類を判別する回路」は、光ディスクのトラックピッチの間隔の値に関する信号が送られることにより、光ディスクの種類を判別する回路であるから、本願発明の「光ディスクの種類を判別する判別手段」に相当する。
　
　そうすると、両者は、　
「光ディスクの情報記録面に光ビームを照射するとともに前記情報記録面からの反射光を受光するピックアップを用いて、光ディスクの情報トラック上の情報を情報再生信号として再生する光ディスク装置において、
　前記光ビームが前記情報トラックとディスク半径方向に相対的に変位する際の前記情報再生信号の振幅変化に応じて変化する振幅表示信号に基づいて、光ディスクの種類を判別する判別手段を備える光ディスク装置。」の発明で一致し、次の点で相違する。
　
〈相違点〉
　光ディスクの種類を判別する判別手段が、本願発明では、振幅表示信号を生成する振幅表示信号生成手段と、振幅表示信号の最大値と最小値との比率を、所定値と比較する比率比較手段を有しているのに対して、刊行物の発明には、どのような手段を有しているのか記載がない点で相違する。
　
４．上記相違点を検討すると、
　振幅表示信号をを生成する手段と、振幅表示信号の最大値と最小値との比率を、所定値と比較する比率比較手段からなる構成は周知（特開昭６３−９１８６８号公報：「磁気式チャックに取りつけたフロッピィディスクを駆動ピンによって回転させる方式のフロッピィディスク装置に設けられるフロッピィディスク装着検出回路であって、磁気ヘッド出力の振幅の最大値と最小値とを検出する検出部（１）と、前記検出した最大値と最小値との比または差によって、フロッピィディスクの装着が正常か否かを判定する判定部（２）とを備えることを特徴とするフロッピィディスク装着検出回路。」（特許請求の範囲）、「〔問題点を解決するための手段〕本発明によるフロッピィディスク装着検出回路は、第１図の原理図に示すように、磁気ヘッドの出力の振幅の最大値と最小値とを検出する検出部１と前記検出した最大値と最小値との比または差によってフロッピィディスクの装着が正常か否かを判定する判定部２とによって構成されるものである。〔作用〕本発明は、フロッピィディスクの偏心によって磁気ヘッド出力の振幅に変動が生ずることに着目し、磁気ヘッドの出力の振幅の最大値と最小値との比または差によって偏心量が限界値以下か否かを判定するものである。〔実施例〕第２図は本発明の一実施例の構成図であり、検出部１は前記増幅器１１と振幅検出回路１２と、ＡＤ変換器（ＡＤ）１３とによって、また、判定部２はメモリ２１とマイクロプロセッサ２２とによって構成したものである。フロッピィディスクに記録されている磁化反転信号に対応して、交互に正負のピーク値を示す交番信号として与えられる磁気ヘッドの出力は、前置増幅器１１によって増幅され、振幅検出回路１２は前置増幅器１１の出力信号の隣接する正と負のピーク値から振幅を求め、得られた振幅はＡＤ変換器１３によってデジタル値に変換されたのち判定部２に送られる。判定部２では、フロッピィディスクが一周する間に得られた検出部１の出力を一たんメモリ２１に格納したあと、マイクロプロセッサ２２はメモリ２１の記憶内容から最大値と最小値とを求めるとともに、両者の差を予め設定した許容値と比較することによって、フロッピィディスクの装着が正常か否かを判定し上位装置へ通知する。」（第２頁右下欄第１７行〜第３頁右上欄第１９行））であり、判別をより正確にする点で最大値と最小値の比を所定値と比較することが有利であることは明かであり、刊行物の発明において、光ディスクの種類を判別する判別手段を、振幅表示信号を生成する手段と、振幅表示信号の最大値と最小値との比率を、所定値と比較する比率比較手段とで構成することは、当業者が容易に推考できたことと認められる。
　
５．むすび
　したがって、本願発明は、刊行物に記載された発明及び周知例に基いて当業者が容易に発明をすることができたものであるから、特許法第２９条第２項の規定により特許を受けることはできない。
　よって、結論のとおり審決する。